(57)【要約】【課題】固定刃を構成する櫛歯状の刃による毛髪の押し倒しを抑制し、これによって、毛髪の刈り残しを抑制する。【解決手段】可動刃２０が上面を摺動する固定刃１０は、刃中央部１１と、一対の刃端部１２と、駆動伝達ブロック７とを有している。刃中央部１１は、先端側に複数の刃が櫛歯状に設けられ、後端側がプレート形状を有して固定板６に摺接されているとともに、櫛歯状の刃の並び方向に沿って固定板６上を往復摺動する。一対の刃端部１２は、固定板６に固着されているとともに、自己の延在方向が刃中央部１１の個々の刃と平行になるように、刃中央部１１の両側に配置される。駆動伝達ブロック７は、刃中央部１１を駆動する。【選択図】      図３
2008132025.tif 000002
【特許請求の範囲】
【請求項１】
電気バリカンにおいて、
本体の固定板上に配置される固定刃と、
複数の刃が櫛歯状に設けられているとともに、前記固定刃の上面側に摺接されており、櫛歯状の刃の並び方向に沿って前記固定刃上を往復摺動することにより、前記固定刃と協働して毛を切断する可動刃と、
前記可動刃を駆動する第１の駆動源とを有し、
前記固定刃は、
先端側に複数の刃が櫛歯状に設けられ、後端側がプレート形状を有して前記固定板に摺接されるとともに、櫛歯状の刃の並び方向に沿って前記固定板上を往復摺動する刃中央部と、
前記固定板に固着されているとともに、自己の延在方向が前記刃中央部の個々の刃と平行になるように、前記刃中央部の両側に配置される一対の刃端部と、
前記刃中央部を駆動する刃中央部駆動源と
を有することを特徴とする電気バリカン。
【請求項２】
前記刃中央部駆動源は、前記可動刃を駆動する前記第１の駆動源からの駆動力を前記固定刃の刃中央部へと機械的に伝達して、当該刃中央部を前記第１の駆動源によって駆動させる伝達ブロックで構成されることを特徴とする請求項１に記載された電気バリカン。
【請求項３】
前記刃中央部駆動源は、前記固定刃の刃中央部を駆動する、前記第１の駆動源とは異なる第２の駆動源で構成されることを特徴とする請求項１に記載された電気バリカン。
【請求項４】
前記第１の駆動源と、前記刃中央部駆動源とは、前記可動刃を駆動する第１の出力部と、前記刃中央部を駆動する第２の出力部とを有する単一の駆動源で構成されることを特徴とする請求項１に記載された電気バリカン。
【請求項５】
前記固定刃の刃中央部は、自己の櫛歯状の刃の先端部の幅の半分以上の振幅で往復摺動することを特徴とする請求項１から４のいずれか一項に記載された電気バリカン。
【請求項６】
前記固定刃の刃中央部は、前記可動刃の往復摺動と逆位相となるように往復摺動することを特徴とする請求項１から５のいずれか一項に記載された電気バリカン。
【請求項７】
前記固定刃の刃中央部は、肌に当接する肌当て面に相当する下面側において、前記可動刃と協働して毛を切断する領域よりも後方領域が欠落した形状を有することを特徴とする請求項１から６のいずれか一項に記載された電気バリカン。
【請求項８】
前記固定刃の刃中央部は、前記後方領域の欠落部位に、個々の櫛歯状の刃と位置的に対応して、かつ、その延在方向に沿って、複数の柱状の櫛体が列状に設けられていることを特徴とする請求項７に記載された電気バリカン。
【請求項９】
前記固定刃の一対の刃端部は、前記刃中央部と対向する側の側壁面が、前記刃中央部の摺動方向と直交する方向に延在するストレート形状をそれぞれ有することを特徴とする請求項１から８のいずれか一項に記載された電気バリカン。
【請求項１０】
前記固定刃の一対の刃端部は、前記固定刃の刃中央部よりも先端がそれぞれ突出していることを特徴とする請求項１から９のいずれか一項に記載された電気バリカン。
【請求項１１】
前記固定刃において肌に当接する肌当て面に相当する下面側を覆う肌当て部材をさらに有し、
前記肌当て部材は、前記本体の固定板に固着されていることを特徴とする請求項１から１０のいずれか一項に記載された電気バリカン。
【請求項１２】
前記肌当て部材は、先端側が櫛歯形状を有し、当該櫛歯状の先端部が前記固定刃の刃中央部の先端部より前方に突出していないことを特徴とする請求項１１に記載された電気バリカン。
【請求項１３】
前記肌当て部材は、前記固定刃の形状と対応した櫛歯形状を有し、個々の櫛歯部分の幅が、前記固定刃の個々の刃の幅よりも小さいことを特徴とする請求項１２に記載された電気バリカン。
【請求項１４】
前記肌当て部材は、前記固定刃の一対の刃端部のみに設けられていることを特徴とする請求項１１に記載された電気バリカン。
【請求項１５】
前記固定刃の刃中央部は、往復摺動状態と停止状態とが切り替え可能であることを特徴とする請求項１から１４のいずれか一項に記載された電気バリカン。
【請求項１６】
前記固定刃の刃中央部は、往復摺動される際の振幅と周波数とがそれぞれ調整可能であることを特徴とする請求項１から１５のいずれか一項に記載された電気バリカン。
【請求項１７】
前記固定刃は、肌に当接する肌当て面に相当する下面側に、摩擦を低減する皮膜が塗布されていることを特徴とする請求項１から１６のいずれか一項に記載された電気バリカン。
【発明の詳細な説明】
【技術分野】
【０００１】
本発明は、毛髪を切断する電気バリカンに関する。
【背景技術】
【０００２】
従来より、複数の刃が櫛歯状に設けられた固定刃および可動刃からなる刃ブロックを有する電気バリカンが知られている。この類の電気バリカンにおいて、固定刃は刃先を突出させた状態で本体の固定板に固着されており、また、可動刃は固定刃の上面側に摺接されている。この可動刃は駆動源によって、刃の並び方向に沿って固定刃上を往復摺動する。そして、固定刃の個々の刃と、可動刃の個々の刃との間に毛を導入することにより、毛の切断を行うことができる。
【０００３】
ところで、例えば、特許文献１には、側縁に櫛歯状の刃が形成された板状の一対の可動刃を互いの面同士で摺接させ、これらを側縁の延在方向（可動刃の長手方向）に沿って逆位相で往復直線運動させる往復式電気かみそりが開示されている。この往復式電気かみそりには、一対の可動刃を両側から挟持するように配置された刃ブロックが配置されており、この刃ブロックは、可動刃の摺動範囲よりも長手方向に突出した大きさを備えている。特許文献１では、可動刃のスライド幅を小さくするといった観点から、固定刃に対して可動刃のみを往復直線運動させるのではなく、一対の可動刃を逆位相で往復直線運動させている。
【０００４】
なお、特許文献１に開示された手法によれば、この刃ブロックは、可動刃を面方向の両側から挟持する構成となっているため、可動刃の板厚方向の幅が大きくなってしまう可能性がある。また、この刃ブロックは、可動刃が肌に当たらないように、それを両側からカバーするものであり、それ自体としては切断機能を有していない。
【特許文献１】特開平９−３１３７５８号公報
【発明の開示】
【発明が解決しようとする課題】
【０００５】
しかしながら、従来の電気バリカンでは、図１４に示すように、固定刃５０は本体の固定板に固定されたままであり、櫛歯状の刃の先端に毛髪が絡み、これによって、毛を押し倒してしまい、固定刃５０と可動刃６０との間に毛髪が導入されず、毛髪の刈り残しができてしまうという問題がある。
【０００６】
本発明は、このような事情に鑑みてなされたものであり、その目的は、固定刃を構成する櫛歯状の刃による毛髪の押し倒しを抑制し、これによって、毛髪の刈り残しを抑制することである。
【課題を解決するための手段】
【０００７】
かかる課題を解決するために、本発明は、本体の固定板上に配置される固定刃と、複数の刃が櫛歯状に設けられているとともに、固定刃の上面側に摺接されており、櫛歯状の刃の並び方向に沿って固定刃上を往復摺動することにより、固定刃と協働して毛を切断する可動刃と、可動刃を駆動する第１の駆動源とを有する電気バリカンを提供する。ここで、固定刃は、先端側に複数の刃が櫛歯状に設けられ、後端側がプレート形状を有して固定板に摺接されるとともに、櫛歯状の刃の並び方向に沿って固定板上を往復摺動する刃中央部と、固定板に固着されているとともに、自己の延在方向が刃中央部の個々の刃と平行になるように、刃中央部の両側に配置される一対の刃端部と、刃中央部を駆動する刃中央部駆動源とを有する。
【０００８】
ここで、本発明において、刃中央部駆動源は、可動刃を駆動する第１の駆動源からの駆動力を固定刃の刃中央部へと機械的に伝達して、この刃中央部を第１の駆動源によって駆動させる伝達ブロックで構成されることが好ましい。
【０００９】
また、本発明において、刃中央部駆動源は、固定刃の刃中央部を駆動する、第１の駆動源とは異なる第２の駆動源で構成されることが好ましい。
【００１０】
また、本発明において、第１の駆動源と、刃中央部駆動源とは、可動刃を駆動する第１の出力部と、刃中央部を駆動する第２の出力部とを有する単一の駆動源で構成されることが好ましい。
【００１１】
また、本発明において、固定刃の刃中央部は、自己の櫛歯状の刃の先端部の幅の半分以上の振幅で往復摺動することが好ましい。
【００１２】
また、本発明において、固定刃の刃中央部は、可動刃の往復摺動と逆位相となるように往復摺動することが好ましい。
【００１３】
また、本発明において、固定刃の刃中央部は、肌に当接する肌当て面に相当する下面側において、可動刃と協働して毛を切断する領域よりも後方領域が欠落した形状を有することが好ましい。
【００１４】
また、本発明において、固定刃の刃中央部は、後方領域の欠落部位に、個々の櫛歯状の刃と位置的に対応して、かつ、その延在方向に沿って、複数の柱状の櫛体が列状に設けられていることが好ましい。
【００１５】
また、本発明において、固定刃の一対の刃端部は、刃中央部と対向する側の側壁面が、刃中央部の摺動方向と直交する方向に延在するストレート形状をそれぞれ有することが好ましい。
【００１６】
また、本発明において、固定刃の一対の刃端部は、固定刃の刃中央部よりも先端がそれぞれ突出していることが好ましい。
【００１７】
また、本発明において、電気バリカンは、固定刃において肌に当接する肌当て面に相当する下面側を覆う肌当て部材をさらに有していてもよい。この肌当て部材は、本体の固定板に固着されていることが好ましい。
【００１８】
ここで、肌当て部材は、先端側が櫛歯形状を有し、この櫛歯状の先端部が固定刃の刃中央部の先端部より前方に突出していないことが好ましい。
【００１９】
この場合、肌当て部材は、固定刃の形状と対応した櫛歯形状を有し、個々の櫛歯部分の幅が、固定刃の個々の刃の幅よりも小さいことが望ましい。
【００２０】
また、肌当て部材は、固定刃の一対の刃端部のみに設けられていてもよい。
【００２１】
また、本発明において、固定刃の刃中央部は、往復摺動状態と停止状態とが切り替え可能であることが好ましい。
【００２２】
また、本発明において、固定刃の刃中央部は、往復摺動される際の振幅と周波数とがそれぞれ調整可能であることが好ましい。
【００２３】
また、本発明において、固定刃は、摩擦を低減する皮膜が塗布されていることが好ましい。
【発明の効果】
【００２４】
本発明によれば、固定刃の刃中央部が、本体の固定板上を往復摺動することにより、櫛歯状の個々の刃の先端が振動する。そのため、櫛歯状の個々の刃の先端が毛髪をかき分けるとともに、毛髪と絡まり難くなるので、毛髪を押し倒すといった事態を抑制することができる。そのため、毛髪の刈り残しを小さくすることができる。また、刃の先端に毛髪が絡まり難くなるので、電気バリカンを速く動かしても刈り残しが小さくなり、散髪時間の短縮を図ることができる。
【００２５】
また、本発明によれば、刃中央部駆動源を、可動刃の駆動源よって駆動することにより、装置の構成を簡素化することができる。
【００２６】
また、本発明によれば、刃中央部駆動源を、可動刃の駆動源とは独立した駆動源とすることにより、固定刃の刃中央部の駆動制御を容易に行うことができる。
【００２７】
また、本発明によれば、可動刃と刃中央部とをそれぞれ駆動する単一の駆動源とすることにより、装置の簡素化を図るとともに、刃中央部の駆動制御を容易に行うことができる。
【００２８】
また、本発明によれば、固定刃の刃中央部の振幅を刃の先端部の幅の半分以上とすることにより、摺動にともなって個々の刃の先端が互いに重なるといった事態を抑制することができる。これにより、毛髪の押し倒しを抑制することができるで、毛髪の刈り残しを小さくすることができる。
【００２９】
また、本発明によれば、固定刃の刃中央部を可動刃の往復摺動と逆位相とすることにより、毛髪の導入と、毛髪の切断との効率の向上を図ることができる。
【００３０】
また、本発明によれば、固定刃の刃中央部の肌当て面（下面）側において、後方領域を欠落した形状とすることにより、肌当て面の後方において切断後の毛髪が引っ掛かり、切断前の毛髪を押し倒してしまうといった事態を最小限に抑制することができる。
【００３１】
また、本発明によれば、刃中央部の後方領域における欠落部位に、複数の柱状の櫛体を列状に設けているので、切断後の毛髪の向きを揃えることができるとともに、切断後の毛髪の引っ掛かりを抑制することができる。
【００３２】
また、本発明によれば、固定刃の一対の刃端部は、内側の側壁面が刃中央部の摺動方向に直行した形状となっているので、毛髪の導入が妨害されるといった事態を抑制することができる。
【００３３】
また、本発明によれば、固定刃の一対の刃端部は、固定刃の刃中央部よりも先端が突出しているので、刃中央部の摺動によって弾き飛ばされた毛髪を内側、すなわち、刃中央部側へと戻すことができる。そのため、毛髪の刈り残しを抑制することができる。
【００３４】
また、本発明によれば、固定刃の肌当て面（下面）を覆う肌当て部材を備えているので、固定刃において摺動する刃中央部が直接肌に接触するといった事態を抑制することができる。また、この肌当て部材は本体の固定板に固定されているため、この肌当て部材自体は駆動しない。これにより、刃中央部の摺動に伴う振動が肌に直接的に伝わるといった違和感を低減することができる。
【００３５】
また、本発明によれば、櫛歯形状の肌当て部材は、その先端部が固定刃の先端部より前方に突出していないので、固定刃の刃中央部による毛髪のかき分けを邪魔するといった事態を抑制することができる。
【００３６】
また、本発明によれば、櫛歯形状の肌当て部材は、固定刃の個々の刃の幅よりも小さいので、肌当て部材が毛髪を押し倒したり、引っ掛けたりするといった事態を抑制することができる。
【００３７】
また、本発明によれば、固定刃の一対の刃端部のみに肌当て部材を設けることによっても、固定刃の刃中央部が肌に直接接触することを抑制することができるので、切断時の違和感を低減することができる。
【００３８】
また、本発明によれば、固定刃の刃中央部が往復摺動状態と停止状態とを切り替えることができるので、刃中央部の摺動に伴う振動に違和感を憶える場合にはこれを停止させることができる。
【００３９】
また、本発明によれば、固定刃の刃中央部が復摺動される際の振幅と周波数とをそれぞれ調整可能である。毛髪の密度は個人差があるので、その密度に応じて固定刃の刃中央部の摺動を調節することができる。
【００４０】
また、本発明によれば、固定刃には、摩擦を低減する皮膜が塗布されているので、固定刃と毛髪との引っ掛かりを抑制し、毛髪の押し倒しを抑制することができる。
【発明を実施するための最良の形態】
【００４１】
（第１の実施形態）
図１は、本発明の実施形態にかかる電気バリカンを示す模式図である。この電気バリカン１は、本体ハウジング２の内部に、駆動源３、電源電池４、図示しない回路部等を内蔵している。また、本体ハウジング２の内部には、本体ハウジング２に設けられた操作部（図示せず）の操作に応じて、オン・オフ状態が切り替え可能なスイッチ５が設けられている。
【００４２】
ここで、駆動源３は、電動モータ、この電動モータの回転軸の回転運動を直線往復運動へと変換する変換機構を含む。電源電池４は、駆動源３および回路部に対してこれらを動作させるための電力を供給する。また、回路部は、駆動源３における電動モータの回転数などを制御する。
【００４３】
図２は、第１の実施形態にかかる電気バリカン１の刃ブロック側の構成を上面から示す模式図である。図３は、電気バリカン１の刃ブロック側の構成を模式的に示す断面図である。この電気バリカン１には、その先端側に、毛髪を切断する刃ブロックが設けられており、この刃ブロックは、固定刃１０と、固定刃１０上に摺接される可動刃２０とで構成されている。操作部を操作してスイッチ５をオン状態へと切り替えると、駆動源３によって刃ブロックの可動刃２０が駆動され、この駆動にともない可動刃２０が固定刃１０上を往復摺動することにより、個々の刃の間に導入される毛髪を切断することができる。
【００４４】
固定刃１０は、刃中央部１１と、一対の刃端部１２とで構成されており、刃中央部１１と刃端部１２とは互いに独立した部材となっている。この固定刃１０は、その先端側が上向きとなるように、下面側に勾配が付けられており、毛髪の切断時には、この下面側の勾配領域が、肌に当接する肌当て面１３となる。この肌当て面１３には、摩擦を低減する皮膜が塗布されており、毛髪の押し倒しを最小限に抑制するような工夫が施されている。
【００４５】
刃中央部１１は、複数の刃が櫛歯状に設けられている櫛歯部１１ａと、プレート部１１ｂとで構成される。櫛歯部１１ａは、櫛歯状の個々の刃の両側縁がそれぞれ刃先となっており、その上面を可動刃２０が往復摺動することにより、毛髪を切断する機能を担っている。プレート部１１ｂは、略Ｔ字状を有しており、その幅広側の辺には、櫛歯部１１ａが固着されている。このプレート部１１ｂは、本体ハウジング２の固定板６に摺接されており、櫛歯部１１ａを前方に突出させた格好でレイアウトされている。このプレート部１１ｂと、本体ハウジング２側の固定板６とは、これを断面的に捉えた場合（図３参照）、両者が互い係合するような段形状になっている。この係合形状により、刃中央部１１は、櫛歯部１１ａを構成する個々の刃の並び方向（Ｙ方向）のみに摺動可能となっている（すなわち、刃中央部１１は、その板厚方向（Ｚ方向）と、櫛歯部１１ａを構成する個々の刃の延在方向（Ｘ方向）とへの移動が規制されている）。
【００４６】
刃中央部１１において、プレート部１１ｂの上面には、案内板１１ｃが固着されており、この案内板１１ｃには後述する駆動伝達ブロック７に接続する伝達ロッド１１ｄが固着されている。
【００４７】
刃端部１２は、固定板６に取り付けられており、その延在方向が、刃中央部１１の櫛歯部１１ａを構成する個々の刃と平行となるように、刃中央部１１の両側にレイアウトされている。本実施形態では、後述するように、刃中央部１１が櫛歯部１１ａを構成する個々の刃の並び方向（Ｙ方向）に沿って往復摺動を行う関係上、一対の刃端部１２は、刃中央部１１の幅方向（Ｙ方向）の長さよりも若干大きな間隔だけ離間して、刃中央部１１の両側にレイアウトされている。個々の刃端部１２は、刃中央部１１と対向する側の側壁面が、刃中央部１１の摺動方向と直交する方向（Ｘ方向）に延在するストレート形状を有しており、その側縁が刃先となっている。そのため、この一対の刃端部１２は、その上面を可動刃２０が往復摺動することにより、毛髪を切断することができる。
【００４８】
可動刃２０は、複数の刃が櫛歯状に並んだ櫛歯部２０ａと、この櫛歯部２０ａが固着された略平板状のプレート部２０ｂとで構成される。可動刃２０は、櫛歯部２０ａを構成する個々の刃の並び方向（Ｙ方向）に沿って固定刃１０上を往復摺動する関係上、その幅方向（Ｙ方向）の長さが、固定刃１０のそれよりも小さな値に設定されている。
【００４９】
櫛歯部２０ａは、これを構成する個々の刃の両側縁がそれぞれ刃先となっており、固定刃１０と協働することにより、毛髪を切断する機能を担っている。プレート部２０ｂは、固定刃１０側の刃中央部１１におけるプレート部１１ｂの上面に摺接されており、一体形成された櫛歯部２０ａが、固定刃１０側の櫛歯部１１ａと位置的に対応するレイアウトされている。この際、可動刃２０側の個々の刃は、固定刃１０側の個々の刃とその延在方向が平行となるようにレイアウトされている。
【００５０】
可動刃２０において、プレート部２０ｂの上面には、案内板２０ｃが固着されており、この案内板２０ｃには、伝達ロッド２０ｄが固着されている。この伝達ロッド２０ｄの他方の刃端部には、駆動源３が接続されている。駆動源３を駆動した場合には、この伝達ロッド２０ｄを、櫛歯部２０ａを構成する個々の刃の並び方向（Ｙ方向）に沿って往復直線運動させることができる。この伝達ロッド２０ｄの往復直線運動は、案内板２０ｃを介して可動刃２０へと伝えられ、これにより、可動刃２０が固定刃１０上を往復摺動する。
【００５１】
ここで、本実施形態の特徴の一つとして、可動刃２０側の伝達ロッド２０ｄには、駆動伝達ブロック７が取り付けられている。この駆動伝達ブロック７は、駆動源３によって駆動されて往復直線運動を行う伝達ロッド２０ｄとともに、往復直線運動を行う。上述したように、駆動伝達ブロック７には、固定刃１０側の案内板１１ｃに固着された伝達ロッド１１ｄが接続している。そのため、駆動源３が駆動した場合には、駆動伝達ブロック７を介して、固定刃１０側の伝達ロッド１１ｄを往復直線運動させることができる。この伝達ロッド１１ｄの往復直線運動は、案内板１１ｃを介して固定刃１０の刃中央部１１へと伝えられ、これにより、刃中央部１１が往復駆動する。
【００５２】
このように本実施形態によれば、固定刃１０が、櫛歯状の刃の延在方向へと往復摺動する刃中央部１１と、その両側において固定板６に固定された一対の刃端部１２とで構成されている。かかる構成によれば、刃中央部１１が往復摺動することにより、櫛歯状の個々の刃の先端が毛髪をかき分けるとともに、毛髪が絡まり難くなるので、毛髪を押し倒すといった事態を抑制することができる。そのため、毛髪の刈り残しを小さくすることができる。また、刃の先端に毛髪が絡まり難くなるので、電気バリカン１を速く動かしても刈り残しが小さくなり、散髪時間の短縮を図ることができる。
【００５３】
また、本実施形態によれば、固定刃１０の全てを往復摺動させるのではなく、摺動する刃中央部１１の両側には刃端部１２が固定的に設けられている。これにより、肌に対する安全性を確保することができる。また、この刃端部１２は、単に肌をガードするのみならず、それ自体従来の固定的な固定刃と同様、切断機能を備えているので、刃中央部１１とともに導入された毛髪を切断することができる。そのため、単に肌をガードする部材を設ける場合と比較して、切断することができない無駄な領域を最小限に抑制することができる。そのため、毛髪の刈り残しが小さくなる。よって、毛髪の切断に際して、同じ軌道を通す回数が少なくなり、散髪時間の短縮を図ることができる。
【００５４】
また、本実施形態によれば、固定刃１０の一対の刃端部１２は、内側の側壁面が刃中央部１１の摺動方向（Ｙ方向）に直行したストレート形状となっている。そのため、刃端部１２によって毛髪の導入が妨害されるといった事態を抑制することができる。
【００５５】
図４は、第１の実施形態にかかる電気バリカン１の変形例を示す模式図である。以下、第１の実施形態にかかる変形例について説明する。なお、電気バリカン１の構成は、基本的に上述した通りであり、相違点を中心に説明する。
【００５６】
上述した実施形態において、固定刃１０の刃中央部１１は、駆動伝達ブロック７を介して駆動源３によって往復駆動される。しかしながら、この刃中央部１１の駆動は、可動刃２０の駆動源３とは異なる独立した駆動源によって駆動してもよい。
【００５７】
具体的には、本変形例の電気バリカン１において、駆動伝達ブロック７は省略されている。すなわち、駆動源３を駆動した場合には、可動刃２０側の伝達ロッド２０ｄのみが、刃の並び方向（Ｙ方向）に沿って往復直線運動する。そして、この伝達ロッド２０ｄの往復直線運動は、案内板２０ｃを介して可動刃２０へと伝えられ、これにより、可動刃２０が固定刃１０上を往復摺動する。
【００５８】
一方、固定刃１０側の案内板１１ｃに固着された伝達ロッド１１ｄには、その他方の端部に、可動刃２０用の駆動源３（第１の駆動源）とは異なる独立した第２の駆動源８が接続されており、第２の駆動源８を駆動することにより、この伝達ロッド１１ｄを、刃の並び方向（Ｙ方向）に沿って往復直線運動させることができる。この伝達ロッド１１ｄの往復直線運動は、案内板１１ｃを介して固定刃１０の刃中央部１１へと伝えられ、これにより、固定刃１０の刃中央部１１が往復摺動する。
【００５９】
このような形態であったとしても、第１の実施形態と同様の作用・効果を奏することができる。
【００６０】
また、可動刃２０用の第１の駆動源３とは異なる、独立した第２の駆動源８によって刃中央部１１を単独で駆動させることができる場合、刃中央部１１の往復摺動の振幅は、例えば、櫛歯部１１ａを構成する個々の刃の先端幅の１／２以上に設定することが好ましい。このケースでは、刃中央部１１の往復摺動時、幅方向（Ｙ方向）において櫛歯部１１ａの個々の刃の先端部が重なるといった事態を抑制することができる。そのため、櫛歯部１１ａの個々の刃の先端部が毛髪を押し倒すことを抑制することができる。
【００６１】
また、固定刃１０側の刃中央部１１は、その往復摺動が、可動刃２０の往復摺動に対して逆位相となるように駆動することが好ましい。かかる構成によれば、固定刃１０の刃中央部１１側の櫛歯部１１ａと、可動刃２０の櫛歯部２０ａとの間で個々の刃の重なりを最小限に抑制することができる。そのため、毛髪を効率的に導入することができるとともに、毛髪の切断の効率を上げることができる。
【００６２】
また、固定刃１０の刃中央部１１は、往復摺動状態と停止状態とが切り替え可能であることが好ましい。刃中央部１１が往復摺動することで、より肌に近い面で刃が摺動するので、散髪される人によっては摺動に伴う振動に違和感を憶える可能性がある。しかしながら、かかる構成により、往復摺動状態と停止状態とを切り替えることができるので、振動に伴う違和感を嫌う人とそうでない人との間で使い分けを行うことができる。
【００６３】
また、本発明において、固定刃の刃中央部は、往復摺動される際の振幅と周波数とがそれぞれ調整可能であることが好ましい。毛髪の密度は個人差があるので、その密度に応じて固定刃１０の刃中央部１１の摺動を調節することができる。これにより、個人差に拘わらず毛髪の切断効率を向上させることができる。
【００６４】
さらに、第１の実施形態に示す可動刃２０の駆動源３とは異なるものの、刃中央部１１の駆動と、可動刃２０の駆動とを同一の駆動源によって駆動してもよい。例えば、一対の出力部を有する振動型リニアアクチュエータを用いて、それぞれ可動刃２０と刃中央部１１を駆動させるようにしても良い。換言すれば、可動刃２０を駆動させる第１の出力部と、刃中央部１１を駆動させる第２の出力部を持った単一の駆動源を用いることもできる。このようなアクチュエータの例としては、例えば、電磁コアの電磁力によって、永久磁石を設けた一対の出力部を、それぞれ反対向きに往復直線運動させる振動型リニアアクチュエータがある。また、当該電磁コアと永久磁石を、それぞれ反対向きに往復直線運動させ、電磁コアと永久磁石のそれぞれに出力部を設けたアクチュエータの他、固定された永久磁石等に対して、一対の電磁コアを反対向きに往復動させる可動コイル型のアクチュエータも用いることができる。
【００６５】
このような形態であったとしても、第１の実施形態および上述の変形例と同様の作用・効果を奏することができる。
【００６６】
なお、駆動伝達ブロック７を用いるケースであったとしても、その材質、例えば、弾性を調整することで、刃中央部１１の振幅および周波数といった往復摺動の駆動状態を調整することも可能である。この場合、装置全体としての構成を簡素化することができるという長所を有するものの、固定刃１０の刃中央部１１を独立した駆動源で駆動する方が、その駆動制御を容易に実現することができる。
【００６７】
また、上述した第１の実施形態にかかる変形例は、後述する第２から第５の実施形態においても変形例として適用することができる。
【００６８】
（第２の実施形態）
図５は、第２の実施形態にかかる電気バリカン１を模式的に示す説明図である。本実施形態にかかる電気バリカン１が第１の実施形態のそれと相違する点は、肌当て部材３０が設けられていることである。基本的な構成については、第１の実施形態と同様であり、その詳細な説明については省略する。
【００６９】
図６は、肌当て部材３０および固定刃１０を示す模式図であり、図７は、肌当て部材３０および固定刃１０を正面側から示す模式図である。具体的には、肌当て部材３０は、平板状の部材で構成されており、固定刃１０の下面（肌当て面１３）側に設けられている。この肌当て部材３０は、固定刃１０の肌当て面１３を覆うように、刃中央部１１および一対の刃端部１２を含む固定刃１０の全体的なアウトラインと対応した形状を有しており、櫛歯状の櫛歯部３０ａと、櫛歯部が一体形成された平板状のプレート部３０ｂとで構成されている。
【００７０】
この肌当て部材３０において、櫛歯部３０ａは、櫛歯状の先端部が固定刃１０の先端部より前方に突出していない。そのため、固定刃１０の刃中央部１１を構成する個々の刃が肌当て部材３０の櫛歯部３０ａの先端より突出する格好となるので、固定刃１０（具体的には、刃中央部１１）による毛髪のかき分けを邪魔するといった事態を抑制することができる。また、この肌当て部材３０において、櫛歯部３０ａは、個々の櫛歯部分の幅が、固定刃１０の刃中央部１１の個々の刃の幅よりも小さい形状を有している。そのため、肌当て部材３０の櫛歯部３０ａと、刃中央部１１を構成する個々の刃との重なりが少なくなるので、肌当て部材３０が毛髪を押し倒したり、引っ掛けたりするといった事態を抑制することができる。
【００７１】
さらに、肌当て部材３０は、電気バリカン１の動作時、肌当て部材３０の後部、すなわち、プレート部３０ｂ側が毛髪を押し倒すことがないように、櫛歯部３０ａが固定板６側まで延在した上で、プレート部３０ｂが固定板６に固定されている。
【００７２】
また、この肌当て部材３０は、上述した駆動源３および駆動伝達ブロック７からの動力を受けておらず、したがって、駆動源３を駆動した場合には、静止している肌当て部材３０上を固定刃１０の刃中央部１１が摺動する格好となる。
【００７３】
このように本実施形態によれば、電気バリカン１は、固定刃１０の肌当て面（下面）１３を覆う肌当て部材３０を備えているので、摺動する固定刃１０の刃中央部１１が直接肌に接触するといった事態を抑制することができる。また、この肌当て部材３０は本体ハウジング２の固定板６に固定されているため、この肌当て部材３０自体は駆動しない。これにより、固定刃１０の刃中央部１１の摺動に伴う振動が肌に直接伝わるといった違和感を低減することができる。
【００７４】
（第３の実施形態）
図８および図９は、第３の実施形態にかかる電気バリカン１を模式的に示す説明図である。ここで、図８は、本実施形態にかかる電気バリカン１の刃ブロックを前面側から示す模式図であり、図９は、本実施形態にかかる電気バリカン１の刃ブロックを上面側から示す模式図である。本実施形態にかかる電気バリカン１が第１の実施形態のそれと相違する点は、第２の実施形態とは形状的に異なる肌当て部材４０が設けられていることである。基本的な構成については、第１の実施形態と同様であり、その詳細な説明については省略する。
【００７５】
肌当て部材４０は、固定刃１０の一対の刃端部１２の下面（肌当て面１３）側にそれぞれ設けられている。ストレート状の板材で構成されており、ある程度の板厚を備えている。この肌当て部材４０の厚みによって、固定刃１０の刃中央部１１が肌面と離間するので、刃中央部１１の摺動に伴う振動が直接的に伝達されることを抑制することができる。
【００７６】
また、この肌当て部材４０は、その先端部は、刃端部１２の先端から突出し、かつ、刃中央部１１の先端部よりも前方に突出している。また、この肌当て部材４０は、先端側から後方へと延在して固定板６に固定されているので、駆動源３および駆動伝達ブロック７からの動力を受けない。
【００７７】
このように本実施形態によれば、摺動する固定刃１０の刃中央部１１が直接肌に接触するといった事態を抑制することができる。また、この肌当て部材４０は本体ハウジング２の固定板６に固定されているため、この肌当て部材４０自体は駆動しない。これにより、刃中央部１１の摺動に伴う振動が肌に直接伝わるといった違和感を低減することができる。
【００７８】
また、本実施形態によれば、肌当て部材４０が、固定刃１０の刃中央部１１よりも先端が突出している。そのため、この肌当て部材４０によって、刃中央部１１の摺動によって弾き飛ばされた毛髪を内側、すなわち、刃中央部１１側へと戻すことができる。そのため、毛髪の刈り残しを抑制することができる。なお、本実施形態では、肌当て部材４０を刃中央部１１の先端よりも突出させているが、固定刃１０の一対の刃端部１２の先端部を刃中央部１１のそれよりも突出させることでも、同様の作用・効果を得ることができる。
【００７９】
（第４の実施形態）
図１０および図１１は、第４の実施形態にかかる電気バリカン１の刃ブロックを模式的に示す説明図である。ここで、図１０は、刃ブロックを下面側、すなわち、固定刃１０側から示しており、図１１は、刃ブロックを断面的に示している。本実施形態にかかる電気バリカン１が第１の実施形態のそれと相違する点は、固定刃１０の形状である。なお、電気バリカン１の基本的な構成については、第１の実施形態と同様であり、その詳細な説明については省略する。
【００８０】
具体的には、本実施形態における固定刃１０において、その肌当て面１３の後方領域、具体的には、可動刃２０と協働して切断機能を有する領域よりも後方領域が欠落した形状となっており、切断領域よりも後方にスペースが生まれるようになっている。
【００８１】
肌当て面１３が、切断領域よりも後方まで存在している場合には、その後方領域によって刈られた後の毛髪が引っかかり、刈られる前の毛髪を倒すといった事態が生じる虞がある。しかしながら、本実施形態の構成によれば、肌当て面１３は、切断領域より後方に存在せず、かつ、そこにスペースが生じているため、肌当て面１３の後方において切断後の毛髪が引っ掛かり、切断前の毛髪を押し倒してしまうといった事態を最小限に抑制することができる。
【００８２】
（第５の実施形態）
図１２および図１３は、第５の実施形態にかかる電気バリカン１の刃ブロックを模式的に示す説明図である。ここで、図１２は、刃ブロックを下面側、すなわち、固定刃１０側から示しており、図１３は、刃ブロックを断面的に示している。本実施形態にかかる電気バリカン１が第１の実施形態のそれと相違する点は、固定刃１０の形状である。なお、電気バリカン１の基本的な構成については、第１の実施形態と同様であり、その詳細な説明については省略する。
【００８３】
具体的には、本実施形態における固定刃１０は、第４の実施形態と同様に、その肌当て面１３の後方領域、具体的には、可動刃２０と協働して切断機能を有する領域よりも後方領域が、欠落した形状となっている。その欠落した凹状の凹面１４には、個々の櫛歯状の刃と位置的に対応して、かつ、その延在方向に沿って、複数の柱状の櫛体１５が列状に設けられている。このようなブラシ形状の櫛体１５は、肌当て面１３とその高さが一致している。
【００８４】
本実施形態によれば、ブラシ形状の櫛体１５によって、刈った後の毛髪の向きを整えることができるとともに、固定刃１０に対する引っかかりを抑制することができる。
【００８５】
図１４は、本発明にかかる電気バリカン１による毛髪の刈り残しの改善率を示す説明図である。同図に示すように、固定刃１０の刃中央部１１の振幅比を概ね０．５以上に設定した場合には、図中の破線で示すように、刃中央部１１を往復摺動させないケースと比較して、７０％以上の改善率を見込めることができる。
【図面の簡単な説明】
【００８６】
【図１】本発明の実施形態にかかる電気バリカンを示す模式図
【図２】第１の実施形態にかかる電気バリカン１の刃ブロック側の構成を上面から示す模式図
【図３】第１の実施形態にかかる電気バリカン１の刃ブロック側の構成を上面から示す模式図
【図４】第１の実施形態にかかる電気バリカン１の変形例を示す模式図
【図５】第２の実施形態にかかる電気バリカン１を模式的に示す説明図
【図６】肌当て部材３０および固定刃１０を示す模式図
【図７】肌当て部材３０および固定刃１０を正面側から示す模式図
【図８】第３の実施形態にかかる電気バリカン１を模式的に示す説明図
【図９】第３の実施形態にかかる電気バリカン１を模式的に示す説明図
【図１０】第４の実施形態にかかる電気バリカン１の刃ブロックを模式的に示す説明図
【図１１】第４の実施形態にかかる電気バリカン１の刃ブロックを模式的に示す説明図
【図１２】第５の実施形態にかかる電気バリカン１の刃ブロックを模式的に示す説明図
【図１３】第５の実施形態にかかる電気バリカン１の刃ブロックを模式的に示す説明図
【図１４】本発明にかかる電気バリカン１による毛髪の刈り残しの改善率を示す説明図
【図１５】固定刃による毛髪の押し倒しを説明する説明図
【符号の説明】
【００８７】
１      電気バリカン
２      本体ハウジング
３      駆動源
４      電源電池
５      スイッチ
６      固定板
７      駆動伝達ブロック
８      第２の駆動源
１０    固定刃
１１    刃中央部
１１ａ  櫛歯部
１１ｂ  プレート部
１１ｃ  案内板
１１ｄ  伝達ロッド
１２    刃端部
１３    肌当て面
１４    凹面
１５    櫛体
２０    可動刃
２０ａ  櫛歯部
２０ｂ  プレート部
２０ｃ  案内板
２０ｄ  伝達ロッド
３０    肌当て部材
３０ａ  櫛歯部
３０ｂ  プレート部
４０    肌当て部材
５０    固定刃
６０    可動刃
【図１】
2008132025.tif 000003
【図２】
2008132025.tif 000004
【図３】
2008132025.tif 000005
【図４】
2008132025.tif 000006
【図５】
2008132025.tif 000007
【図６】
2008132025.tif 000008
【図７】
2008132025.tif 000009
【図８】
2008132025.tif 000010
【図９】
2008132025.tif 000011
【図１０】
2008132025.tif 000012
【図１１】
2008132025.tif 000013
【図１２】
2008132025.tif 000014
【図１３】
2008132025.tif 000015
【図１４】
2008132025.tif 000016
【図１５】
2008132025.tif 000017